(57)【要約】【課題】地球環境に優しい、ＣＯ２発生防止に役立ち、プラスチック・フィルムを利用しないでかつレーザー・プリンター等でデーター・プリント可能な新しいブック結束用帯封を提供すること。【解決手段】１枚のヨコ長の用紙の裏面に複数列の再剥離用弱粘着剤を塗布し、その上に剥離紙の帯を重合させることによって、その表面にプリント可能で、しかも剥離紙をはがした状態で、この用紙を配達物に巻付けたとき内部の配達物が抜け落ちることがないようにする。【選択図】    図１
2007099386.tif 000002
【特許請求の範囲】
【請求項１】
シーリング・バンド（ＳＢ）と名付ける紙製の長方形の１枚のヨコ長の用紙をタテ方向の複数列２ヶ所の折筋によって複数区画に分割し、用紙裏面の所定の複数位置に再剥離粘着剤を所定のパターンに塗布し、この用紙を発熱型プリンター等にかけても粘着剤の融解によってプリンター内部を汚さないよう幅広の剥離紙帯によって粘着剤部分を覆い、プリンターによって用紙表面にデーター・プリントされた後剥離紙帯をはがしながら、ＳＢ裏面の所定の区画上に配送しようとする各種ブック、パンフレット、カタログ―――の配送物をのせ、粘着剤部分によって配送物をＳＢに弱接着し、その他の部分の粘着剤によって、重なり合うＳＢの表裏両面を弱接着して配送物をＳＢによって包装し、１冊以上の配送物をＳＢから抜け落ちないようにして配達可能となり、事前にレーザー・プリンター等によってデーター・プリント可能とし、かつプラスチックフイルムを使わないことを特徴とする包装用ＳＢ。
【発明の詳細な説明】
【技術分野】
【０００１】  本発明の基本は、新しいシーリング・バンドの構造と製造方法及びこのシーリング・バンドの利用方法又は配送方法に関係するものである。
【背景技術】
【０００２】  パンフレット、ブック、カタログ、―――を配送する場合、これらを包装するために従来は紙封筒が利用されたが、その後透明封筒、ビニール袋、シュリンク・フィルム等のプラスチック包装が多用されるようになった。
後者は、開封後は、リサイクル不能なものが多く、可燃ごみとして焼却されるが、その際ＣＯ２を発生するので、地球温暖化を促進し、環境保護に反する。
【発明の開示】
【発明が解決しようとする課題】
【０００３】  上述のようなフィルム包装の欠点を解消し、可燃ごみを減らし、ＣＯ２の発生を防ぎ、リサイクル可能な包装を提供しようとするのが本発明の課題である。
【課題を解決しようとする手段】
【０００４】包装材としてプラスチック・フィルムを使用せず、リサイクル可能な紙素材利用した、帯封状の包装を実現し、しかも従来の帯封（シーリング・バンド）を改良し、これに再剥離性弱粘着剤を複数列塗布し、この帯封によってブックを包むと同時に、ブックが抜け落ちないように弱接着し、開封容易とする。
【発明の効果】
従来技術に比べ本発明の効果は次の通りである。
【０００５】１．各種ブックを配送する場合、これを包装するための封筒・ビニール袋を必要とせず、包装の手間を省略出来るので、ダイレクト・メールのコストダウンになる。
２．配送の際ビニール袋等のプラスチック・フィルムを使用しないので、ブックの用済み後、可燃ゴミが発生せず、ＣＯ２の削減に効果があり、地球環境に好影響を与える。
３．紙のみを使用しているので、使用済み後は、リサイクル可能な資源ゴミとなる。
４．表紙のシーリング・フラップには住所・氏名その他のデーターをプリント出来るので便利である。別にプリントした宛名ラベルとその貼り付けを必要としない。
５．小口が閉じられているので、ブック中身の覗き見防止になる。
６．その他の接着剤、例えば液体接着剤を用いるときは、シーリングしたとき相手の表紙小口の近くの接着部分にも浸透し、フラップを剥がした場合に、用紙表面が傷つく不具合を生ずる。
本発明の場合には、接着剤が乾燥しているのでシーリングしても相手の紙に浸透せずこれを傷つけることがない利点がある。
７．ブックは１冊だけでなく、２、３冊も１枚のＳＢで包装可能である。
８．フラット型の包装でなくカレンダーのような場合の丸めたものも包装可能である。
９．広幅のＳＢを利用すれば、その一部を返信ハガキやＦＡＸ用紙、振込用紙、アンケート用紙、広告―――として利用できる。
１０．ＳＢをを連続フォームとして造れば、事前にプリンターによって、データー・プリントできる。
このように多角的に利用できる効果を持っている。
【発明を実施するための最良の形態】
【実施例１】  図１、図２、図３、図４【０００６】  図１は、本発明によるＳＢ２の裏面平面図を示す。図中ヨコ長のＳＢ用紙２は、境界線３−１、３−２によって３つの区画４−１、４−２、４−３に分割されている。４−１の紙端には、弱粘着剤５−１が点状又は線状に施され、４−３の紙端に於いても同様に弱粘着剤５−２が施され、更に５−１、５−２の上には、これを覆う十分な巾の剥離紙６−１、６−２がそれぞれ添付されている。
次にブック１を区画４−２の上に載せ、剥離紙６−１をはがしながら区画４−１を１の上にかぶせて粘着剤５−１によって、４−１を１に貼付ける。更に剥離紙６−２をはがしながら、区画４−３を、区画４−１の表側にかぶせて弱粘着５−２によって弱接着する。（図２）
以上の工程によって、ＳＢ２はブックに巻き付き、かつブック１は２に弱接着されるので、配送中にＳＢ２からブック１が抜け落ちる恐れがない。図３はブック１に巻き付けられたＳＢ２の状態を表す平面図、図４はその側面図を示す。
【実施例２】  図５，図６【０００７】  ここでは、ブック１が１冊でなく２冊の場合を示す。
図５に示すように図１に示された粘着剤５−１、５−２及び６−１、６−２の他、粘着剤５−３及び剥離紙６−３を施し、図６によってこのＳＢを２冊のブックレット１−１、１−２に巻き付けることによって、
【実施例１】の場合と同様に結束できる。
【実施例３】  図７、図８【０００８】  ここでは、包装すべきブックのヨコ巾が広くて、図７のようにＳＢを２等分したものよりブックの背中１−２がはみ出す場合である。これは、図８のようにブックレット１の小口１−１の側を覆うことが出来ても、１の背中を覆うことが出来ない場合である。２の場合でもＳＢによるブックレットの結束は有効である。図９はＳＢ２でブック１の小口１−１を覆う状態の側面図である。
【図面の簡単な説明】
【０００９】
【図１】本発明によるシーリング・バンドの裏面平面図。
【図２】本発明によるシーリング・バンドの上にブックを載せた平面図。
【図３】本発明によるシーリング・バンドによってブックを包装した平面図。
【図４】本発明によるシーリング・バンドによって包装されたブックの側面図。
【図５】本発明によるシーリング・バンドの２冊用の裏面平面図。
【図６】本発明によるシーリング・バンドによって包装された２冊のブックの側面図。
【図７】本発明によるシーリング・バンドよりブックがはみ出すときの平面図。
【図８】本発明によるシーリング・バンドよりブックがはみ出して包装された場合の平面図。
【図９】本発明によるシーリング・バンドよりブックがはみ出して包装された場合の側面図。
【符号の説明】
【００１０】  １    ：ブック
１−１：ブックの小口
１−２：ブックの背中
２    ：シーリング・バンド（ＳＢ）
２−１：シーリング・バンド表面
２−２：シーリング・バンド裏面
３−１：シーリング・バンドの分割線
３−２：シーリング・バンドの分割線
４−１：シーリング・バンドの分割線によって分割された区画
４−２：シーリング・バンドの分割線によって分割された区画
４−３：シーリング・バンドの分割線によって分割された区画
５−１：シーリング・バンド裏面の左端に施された弱粘着剤
５−２：シーリング・バンド裏面の右端に施された弱粘着剤
５−３：シーリング・バンド裏面の中間位置に施された弱粘着剤
６−１：弱粘着剤の上を覆う剥離紙
６−２：弱粘着剤の上を覆う剥離紙
６−３：弱粘着剤の上を覆う剥離紙
【図１】
2007099386.tif 000003
【図２】
2007099386.tif 000004
【図３】
2007099386.tif 000005
【図４】
2007099386.tif 000006
【図５】
2007099386.tif 000007
【図６】
2007099386.tif 000008
【図７】
2007099386.tif 000009
【図８】
2007099386.tif 000010
【図９】
2007099386.tif 000011